(57)【要約】【課題】複合型記録再生装置の操作に使用され、同じフォーマットでリモコンコードを何種類か持っているリモコン装置において、リモコンコードの切換の操作が簡単にできると共にリモコンコードの設定が早くできるようにする。【解決手段】リモコン装置に電池が投入された後、例えば、再生キーが押下されると、第１の種類のリモコンコードが送信される。その第１の種類のリモコンコードと、複合型記録再生装置で設定されているリモコンコードとが合えば、ユーザにより決定キーが押下されることにより、その第１の種類のリモコンコードが設定リモコンモードのリモコンコードとして設定される。リモコン装置に第１の種類のリモコンコードが設定された後、リモコン装置の何らかのキーが操作されると、第１の種類のリモコンコードによるリモコンコードが送信される。【選択図】図６
2009077089.tif 000002
【特許請求の範囲】
【請求項１】
ハードディスクに対して情報の記録／再生を行うハードディスク装置と、光ディスクに対して情報の記録／再生を行う光ディスク装置と、磁気テープに対して情報の記録／再生を行う磁気記録再生装置との何れかの二つの装置を組み合わせて構成され、または全部の装置を含み構成され、同じフォーマットで複数種類のリモコンコードを有する複合型記録再生装置と、
前記複合型記録再生装置に対して遠隔操作を行うリモコン装置とを含み構成された遠隔操作システムにおいて、
前記複合型記録再生装置に同じフォーマットで複数種類のリモコンコードが有る場合、前記リモコン装置から送信されるリモコンコードのヘッドパルスの時間幅が前記複数種類のリモコンコード毎に異なるようにリモコンコードが設定されたメモリと、
電池が投入されたことを検知して待機状態にする電池投入検知手段と、
前記待機状態になっているときに予め定めた複数の特定キーのうち何れのキーが押下されたか否かを判定する特定キー押下判定手段と、
前記押下された特定キーに対応するリモコンコードを前記複合型記録再生装置に送信するリモコンコード送信手段と、
決定キーの押下により前記押下された特定キーに対応するリモコンコードを設定リモコンモードのリモコンコードとして設定するリモコンコード設定手段と、を前記リモコン装置に備え、
前記複合型記録再生装置の電源がオンされた後、前記リモコン装置からのコード設定画面表示指示を検知したとき前記リモコン装置から送信されてきたリモコンコードの種類および前記複合型記録再生装置に設定されているリモコンコードの種類を示すコード設定画面を表示手段に表示させるコード設定画面表示手段と、
前記両リモコンコードのヘッドパルスの時間幅が同じであるか否かを検出することにより前記両リモコンコードが一致するか否かを判定するコード一致判定手段と、
前記両リモコンコードが一致しないと判定されたとき、前記リモコン装置からのリモコンコードが異なるというメッセージを前記表示手段に表示させるメッセージ表示手段と、
前記両リモコンコードが一致したと判定されたとき、前記リモコン装置の前記決定キーの押下による決定指示を検知したとき前記コード設定画面の表示を消去して前記一致したリモコンコードに対応する前記複合型記録再生装置内の該当する装置を動作可能状態に設定する動作可能状態設定手段と、を前記複合型記録再生装置に備え、前記リモコン装置側のリモコンモードを前記複合型記録再生装置側の本体モードに合わせることを特徴とする遠隔操作システム。
【請求項２】
前記複合型記録再生装置は、前記リモコン装置から送信されてきたリモコンコードの１回目のヘッドパルスの時間幅の違いにより、当該リモコンコードの種類を判別することを特徴とする請求項１に記載の遠隔操作システム。
【請求項３】
前記特定キーは、既存の複数のキーのうち予め定めたキーとし、前記複数種類のリモコンコードの個数だけ設けたことを特徴とする請求項１に記載の遠隔操作システム。
【発明の詳細な説明】
【技術分野】
【０００１】
本発明は、同じフォーマットで複数種類のリモコンコードを有する複合型記録再生装置と、この複合型記録再生装置に対して遠隔操作を行うリモコン装置とを含み構成された遠隔操作システムに関する。
【背景技術】
【０００２】
従来から、テレビジョン受像機やハードディスク装置などの音声映像出力機器であるＡＶ機器や冷暖房機器などでは、リモコン装置（リモートコントローラ装置）により遠隔操作される。
【０００３】
ところで、ハードディスクに対して情報の記録／再生を行うハードディスク装置と、光ディスクに対して情報の記録／再生を行う光ディスク装置と、磁気テープに対して情報の記録／再生を行う磁気記録再生装置としてのＶＣＲ（ビデオカカセットレコーダ）との何れかの二つの装置を組み合わせて構成され、または全部の装置を含み構成され、同じフォーマットで複数種類のリモコンコードを有する複合型記録再生装置が知られている。
【０００４】
ここで言う前記複数種類のリモコンコードとは、前記のように、ハードディスク装置と光ディスク装置とＶＣＲとのうちの二つの装置または全部を含む複合型記録再生装置を一つのリモコン装置により操作する場合に用いられるコードを言い、複合記録再生装置内の各装置を動作可能状態にするモード（以下、本体モードと言う）に対応させて設けられている。したがって、複合型記録再生装置側に現在設定されている本体モードとリモコン装置側に現在設定されているモード（以下、リモコンモードと言う）とが合わなかった場合には、リモコン装置を操作しても複合型記録再生装置内の所望する装置を動作させることができないことになる。
【特許文献１】特開２００４−３２０６３５号公報
【特許文献２】実録３０８６１３５号公報
【特許文献３】特開平５−１４５９６９号公報
【発明の開示】
【発明が解決しようとする課題】
【０００５】
前述したように、複合型記録再生装置において同じフォーマットでリモコンコードが何種類か有る場合、複合型記録再生装置側の現在の本体モードとリモコン装置側のリモコンモードとが一致しない場合、リモコン装置を操作しても複合型記録再生装置内の所望の装置は動作しないというようなことが生じる。例えば、光ディスク装置とＶＣＲ（ビデオカセットレコーダ）との複合型記録再生装置であった場合に、複合型記録再生装置の現在の本体モードが、光ディスク装置の動作可能状態を示すＤＶＤモード、またはＶＣＲの動作可能状態を示すＶＣＲモードであっても、複合型記録再生装置側の現在の本体モードとリモコン装置側のリモコンモードとが一致しない場合、リモコン装置をＤＶＤモードまたはＶＣＲモードで操作しても、光ディスク装置またはＶＣＲは動作しない。
【０００６】
そこで、複合型記録再生装置側の本体モードとリモコン装置側のリモコンモードとを合わせるため、同じフォーマットでリモコンコードを何種類か持っているリモコン装置側で設定されるリモコンモードに対応するリモコンコードが、複合記録再生装置側で予め設定されている本体モードに対応するリモコンコードに切り換えるようにしている。
【０００７】
しかしながら、従来の遠隔操作システムにおいては、リモコン装置側で設定されるリモコンモードに対応するリモコンコードが、複合記録再生装置側で予め設定されている本体モードに対応するリモコンコードに切り換える場合、リモコン装置の例えば、再生キーを押しながら数字キーを押すという多重キー押下によりリモコンコードを切り換えたり、リモコン装置に予めコード切換スイッチが設けられている場合には、そのコード切換スイッチを切換操作することによりリモコンコードを切り換えたりしているが、多重キー押下はユーザにとっては操作が煩わしという課題が生じ、また、コード切換スイッチを設けた場合にはリモコン装置がコストアップするという課題が生じる。また、複合型記録再生装置側の現在の本体モードにおけるリモコンコードの種類がユーザには分からないので、リモコン装置側のリモコンモードを適当に切り換えて、リモコンモードにおけるリモコンコードを本体モードにおけるリモコンコードに合わすように設定しなければならないので、リモコンコードの設定に時間が多くかかるという課題も生じる。
【０００８】
なお、特許文献１の従来技術では、電気機器は、リモコン送信機からのヘッドパルスのパルス幅が所定範囲内であることを検出し、さらにカスタムコードのパルス幅が許容範囲内であることを検出したとき、自体の電気機器用のフォーマットであると判断しているが、この場合の電気機器は、複合型記録再生装置ではなく、同じフォーマットでリモコンコードが何種類か有る場合についてのリモコンコードの設定に関する処理については開示されていない。
【０００９】
特許文献２の従来技術は、リモコン受光装置が持つ固有の特性によって、受信可能な領域が規定値から大きくずれてしまった場合に、受信できない赤外線リモコン信号が発生してしまうのを防止するためのものであり、同じフォーマットで複数種類のリモコンコードを有する複合型記録再生装置に対して遠隔操作を行うリモコン装置については開示されていない。
【００１０】
特許文献３の従来技術は、パルス間隔変調通信方式のリモコン装置において、リモコン装置の応答速度を向上させるとともに通信の信頼性を向上させるものであり、同じフォーマットで複数種類のリモコンコードを有する複合型記録再生装置に対して遠隔操作を行うリモコン装置については開示されていない。
【００１１】
本発明は、上記のような課題を解決するためになされたもので、複合型記録再生装置の操作に使用され、同じフォーマットでリモコンコードを何種類か持っているリモコン装置において、リモコンコードの切換の操作が簡単にできると共に、リモコンコードの設定が早くできる遠隔操作システムを提供することを目的とする。
【課題を解決するための手段】
【００１２】
上記目的を達成するために、請求項１の発明は、ハードディスクに対して情報の記録／再生を行うハードディスク装置と、光ディスクに対して情報の記録／再生を行う光ディスク装置と、磁気テープに対して情報の記録／再生を行う磁気記録再生装置との何れかの二つの装置を組み合わせて構成され、または全部の装置を含み構成され、同じフォーマットで複数種類のリモコンコードを有する複合型記録再生装置と、前記複合型記録再生装置に対して遠隔操作を行うリモコン装置とを含み構成された遠隔操作システムにおいて、前記複合型記録再生装置に同じフォーマットで複数種類のリモコンコードが有る場合、前記リモコン装置から送信されるリモコンコードのヘッドパルスの時間幅が前記複数種類のリモコンコード毎に異なるようにリモコンコードが設定されたメモリと、電池が投入されたことを検知して待機状態にする電池投入検知手段と、前記待機状態になっているときに予め定めた複数の特定キーのうち何れのキーが押下されたか否かを判定する特定キー押下判定手段と、前記押下された特定キーに対応するリモコンコードを前記複合型記録再生装置に送信するリモコンコード送信手段と、決定キーの押下により前記押下された特定キーに対応するリモコンコードを設定リモコンモードのリモコンコードとして設定するリモコンコード設定手段とを前記リモコン装置に備え、前記複合型記録再生装置の電源がオンされた後、前記リモコン装置からのコード設定画面表示指示を検知したとき前記リモコン装置から送信されてきたリモコンコードの種類および前記複合型記録再生装置に設定されているリモコンコードの種類を示すコード設定画面を表示手段に表示させるコード設定画面表示手段と、前記両リモコンコードのヘッドパルスの時間幅が同じであるか否かを検出することにより前記両リモコンコードが一致するか否かを判定するコード一致判定手段と、前記両リモコンコードが一致しないと判定されたとき、前記リモコン装置からのリモコンコードが異なるというメッセージを前記表示手段に表示させるメッセージ表示手段と、前記両リモコンコードが一致したと判定されたとき、前記リモコン装置の前記決定キーの押下による決定指示を検知したとき前記コード設定画面の表示を消去して前記一致したリモコンコードに対応する前記複合型記録再生装置内の該当する装置を動作可能状態に設定する動作可能状態設定手段とを前記複合型記録再生装置に備え、前記リモコン装置側のリモコンモードを前記複合型記録再生装置側の本体モードに合わせることを特徴とする遠隔操作システムを提供する。
【００１３】
この構成において、リモコン装置に電池が投入されると、リモコン装置は待機状態になり、複数の特定キーのうちの何れかの特定キーが押下されると、その特定キーに対応するリモコンコードが複合型記録再生装置に送信される。そして、リモコン装置の決定キーの押下により、前記押下された特定キーに対応するリモコンコードがリモコン装置に対する設定リモコンモードのリモコンコードとして設定される。
【００１４】
複合型記録再生装置の電源がオンされた後、リモコン装置からのコード設定画面表示指示が検知されると、リモコン装置から送信されてきたリモコンコードの種類および複合型記録再生装置に設定されているリモコンコードの種類を示すコード設定画面が表示手段に表示される。前記両リモコンコードが一致しないと判定されたとき、リモコン装置からのリモコンコードが異なるというメッセージが表示手段に表示される。前記両リモコンコードが一致したと判定され、リモコン装置の決定キーの押下による決定指示が検知されたとき、前記コード設定画面の表示が消去されて前記一致したリモコンコードに対応する複合型記録再生装置内の該当する装置が動作可能状態に設定される。即ち、リモコン装置側のリモコンモードが複合型記録再生装置側の本体モードに合わされる。
【００１５】
この構成によれば、リモコン装置側で設定されるリモコンモードに対応するリモコンコードが、複合記録再生装置側で予め設定されている本体モードに対応するリモコンコードに切り換える場合の切換操作が簡単になり、ユーザにとっては操作性が簡単になる。また、コード切換スイッチをリモコン装置に設けるようなことがないので、リモコン装置のコストダウンを図れる。また、複合型記録再生装置側の現在の本体モードにおけるリモコンコードの種類がユーザに分かるので、リモコンモードにおけるリモコンコードを本体モードにおけるリモコンコードに合わすためのリモコンコードの設定が早くできる。
【００１６】
請求項２の発明では、請求項１の発明において、複合型記録再生装置は、リモコン装置から送信されてきたリモコンコードの１回目のヘッドパルスの時間幅の違いにより、当該リモコンコードの種類を判別するので、リモコン装置から送信されてきたリモコンコードの種類および複合型記録再生装置に設定されているリモコンコードの種類を示すコード設定画面を表示手段に表示させることが可能になる。
【００１７】
請求項３の発明では、請求項１の発明において、特定キーは、既存の複数のキーのうち予め定めたキーとし、複数種類のリモコンコードの個数だけ設けたので、コード切換専用のキーを設ける必要がなくなり、また、多重キー押下をする必要もなくなる。
【発明の効果】
【００１８】
以上のように本発明によれば、リモコン装置側で設定されるリモコンモードに対応するリモコンコードが、複合記録再生装置側で予め設定されている本体モードに対応するリモコンコードに切り換える場合の切換操作が簡単になり、ユーザにとっては操作性が簡単になる。また、コード切換スイッチをリモコン装置に設けるようなことがないので、リモコン装置のコストダウンを図れる。また、複合型記録再生装置側の現在の本体モードにおけるリモコンコードの種類がユーザに分かるので、リモコンモードにおけるリモコンコードを本体モードにおけるリモコンコードに合わすためのリモコンコードの設定が早くできる。
【発明を実施するための最良の形態】
【００１９】
以下、添付図面を参照しつつ、本発明の実施の形態について説明する。図１は本発明の一実施形態に係る複合型記録再生装置の構成を示すブロック図である。ここでは、光ディスク装置（ＤＶＤレコーダ、ＢＤレコーダ）とハードディスク装置（ハードディスクレコーダ）と磁気記録再生装置としてのＶＣＲ（ビデオカセットレコーダ）とが含まれた複合型記録再生装置について説明するが、光ディスク装置とハードディスク装置とが含まれた複合型記録再生装置、光ディスク装置とＶＣＲとが含まれた複合型記録再生装置、ハードディスク装置とＶＣＲとが含まれた複合型記録再生装置であっても、後述するリモコンコードに関する処理を行うことにより、同様な効果を得ることができる。
【００２０】
なお、光ディスク装置とハードディスク装置とが含まれた複合型記録再生装置は、図１に示すＶＣＲを含まない構成であり、また、光ディスク装置とＶＣＲとが含まれた複合型記録再生装置は、図１に示すハードディスク装置を含まない構成であり、また、ハードディスク装置とＶＣＲとが含まれた複合型記録再生装置は、図１に示す光ディスク装置を含まない構成であるので、それぞれの構成を示すブロック図は図示を省略する。
【００２１】
図１において、複合型記録再生装置１は、図示しないアンテナからのテレビ放送信号を受信し、所望のチャンネルのテレビ放送信号を選択して映像音声信号として出力するチューナ１と、ＤＶＤやＢＤなどの光ディスク１５に対して情報の記録／再生を行う光ディスク装置（ＤＶＤレコーダやＢＤレコーダ）２と、ハードディスク１４に対して情報の記録／再生を行うハードディスク装置（ハードディスクレコーダ）３と、磁気テープであるビデオカセットテープ１７に対して情報の記録／再生を行う磁気記録再生装置としてのＶＣＲ（ビデオカセットレコーダ）１７と、チューナ１または光ディスク装置２またはハードディスク装置３またはＶＣＲ４から出力された映像音声信号を復号するデコーダ５と、チューナ１が受信可能な放送チャンネルを記憶すると共にシステムコントローラ１０の動作に必要なプログラムやデータなどを記憶するフラッシュＲＯＭ６と、システムコントローラ１０の動作に必要なデータを一時的に記憶するＲＡＭ１６とを備えている。
【００２２】
また、この複合型記録再生装置１は、デコーダ５で復号された映像信号などをテレビジョン受像機１３のディスプレイ装置１３１で表示可能な映像信号に変換する映像出力部７と、コード設定画面やタイトルリスト画面やセットアップ画面などをテレビジョン受像機１３のディスプレイ装置１３１に表示させるためのＯＳＤ部１２と、デコーダ５で復号された音声信号をテレビジョン受像機１３のスピーカ１３２で出力可能な音声信号に変換する音声出力部８と、リモコン（リモートコントローラ）装置１１から送信された赤外光の各種の指令信号を受信し、受信した赤外光の指令信号を電気信号の指令信号に変換し、この指令信号をシステムコントローラ１０に入力するリモコン受信部９と、装置全体を制御する図示しないＣＰＵなどで構成される前記システムコントローラ１０とを備えている。
【００２３】
システムコントローラ１０は、複合型記録再生装置Ａの電源がオンされた後、リモコン装置１１からのコード設定画面表示指示を検知したときリモコン装置１１から送信されてきたリモコンコードの種類および複合型記録再生装置Ａに設定されているリモコンコードの種類を示すコード設定画面をテレビジョン受像機１３のディスプレイ装置１３１（複合型記録再生装置Ａの図示しない表示部でも良い）に表示させるコード設定画面表示手段と、前記両リモコンコードのヘッドパルスの時間幅が同じであるか否かを検出することにより前記両リモコンコードが一致するか否かを判定するコード一致判定手段と、前記両リモコンコードが一致しないと判定されたとき、リモコン装置１１からのリモコンコードが異なるというメッセージをディスプレイ装置１３１（または図示しない表示部）に表示させるメッセージ表示手段と、前記両リモコンコードが一致したと判定されたとき、リモコン装置１１の前記決定キーの押下による決定指示を検知したとき前記コード設定画面の表示を消去して前記一致したリモコンコードに対応する複合型記録再生装置Ａ内の該当する装置を動作可能状態に設定する動作可能状態設定手段とを備えている。
【００２４】
リモコン装置１１は、複数のキーを有するキー部１１１と、リモコン装置全体を制御する制御部１１２と、赤外線のリモコンコード信号を送信する送信部１１３と、キー部１１１のキーに対応させてリモコンコード（キーコード）や制御部１１２の動作に必要なプログラムなどが記憶されたフラッシュＲＯＭなどで実現されるメモリ１１４と、それらの構成要素を駆動させるための電池１１５とを備えている。
【００２５】
制御部１１２は、複合型記録再生装置Ａに同じフォーマットで複数種類のリモコンコードが有る場合、リモコン装置１１から送信されるリモコンコードのヘッドパルスの時間幅が前記複数種類のリモコンコード毎に異なるようにリモコンコードをメモリ１１４に設定するリモコンコード設定手段と、電池１１５が投入されたことを検知して待機状態にする電池投入検知手段と、前記待機状態になっているとき所望のリモコンモードに対応するリモコンコードを設定させると共に該リモコンコードを複合型記録再生装置Ａに送信させるため既存の複数のキーの中から予め定められたキーを特定キーとし、この特定キーを前記複数種類のリモコンコードの個数だけ設け、この設けられた複数の特定キーのうち何れのキーが押下されたか否かを判定する特定キー押下判定手段と、前記押下された特定キーに対応するリモコンコードを複合型記録再生装置Ａに送信するリモコンコード送信手段と、リモコン装置１１の決定キーの押下により前記押下された特定キーに対応するリモコンコードを設定リモコンモードのリモコンコードとして設定するリモコンコード設定手段とを備えている。
【００２６】
前記同じフォーマットで複数種類（例えば３種類）のリモコンコードが有る場合とは、例えば、光ディスク装置２を動作可能状態にするリモコンモードのリモコンコード（第１の種類のリモコンコード）と、ハードディスク装置３を動作可能状態にするリモコンモードのリモコンコード（第２の種類のリモコンコード）と、ＶＣＲ４を動作可能状態にするリモコンモードのリモコンコード（第３の種類のリモコンコード）とが、同じフォーマットである場合で、リモコン装置１１のリモコンモードと複合型記録再生装置Ａの本体モードとが一致しなければ、リモコン装置１１を操作しても複合型記録再生装置Ａ内の所望する装置を動作させることができない。
【００２７】
図２は本実施形態においてリモコン装置のキー配置の一例を示す図である。図２において、リモコン装置１１の操作パネル２００には、ＴＶ電源キー２１１、入力切換キー２１２、レコーダ電源キー２１３、音量キー２１４、複数の数字キー２１５、ＨＤＤモード切換キー２１６、ＤＶＤモード切換キー２１７、ＶＣＲモード切換キー２１８、再生リストキー２１９、設定画面キー２２０、上方向きー２２１、下方向キー２２２、左方向キー２２３、右方向キー２２４、決定キー２２５、記録キー２２６、スキップキー２２７、一時停止キー２２８、早戻しキー２２９、停止キー２３０、再生キー２３１、早送りキー２３２などが配置されている。なお、ここでのキーの配置および個数は一例であるので、これに限ることはない。
【００２８】
本実施形態では、複合型記録再生装置Ａにおいて同じフォーマットでリモコンコードが３種類有る場合で、第１の種類のリモコンコードをリモコン装置１１に設定する場合に押下される特定キーとしては再生キー２３１が指定されている。また、第２の種類のリモコンコードをリモコン装置１１に設定する場合に押下される特定キーとしては停止キー２３０が指定されている。第３の種類のリモコンコードをリモコン装置１１に設定する場合に押下される特定キーとしては一時停止キー２２８が指定されている。
【００２９】
したがって、リモコン装置１１に電池１１５が投入された後、再生キー２３１が押下されると、第１の種類のリモコンコードがリモコン装置１１の第１の設定リモコンモードのリモコンコードとして設定される。前記第１の設定リモコンモードとは、例えば、リモコン装置１１のＨＤＤモード切換キー２１６が押下されたときはハードディスク装置３が動作可能状態になり、リモコン装置１１のＤＶＤモード切換キー２１７が押下されたときは光ディスク装置２が動作可能状態になり、また、リモコン装置１１のＶＣＲモード切換キー２１８が押下されたときはＶＣＲ４が動作可能状態になるようなモードである。但し、この場合、複合型記録再生装置Ａの本体モードのリモコンコードが第１の種類のリモコンコードに設定されていないと、前記のような動作可能状態にはならない。
【００３０】
また、リモコン装置１１に電池１１５が投入された後、停止キー２３０が押下されると、第２の種類のリモコンコードがリモコン装置１１の第２の設定リモコンモードのリモコンコードとして設定される。前記第２の設定リモコンモードとは、例えば、リモコン装置１１のＨＤＤモード切換キー２１６が押下されたときはハードディスク装置３が動作可能状態になるが、リモコン装置１１のＤＶＤモード切換キー２１７が押下されても光ディスク装置２は動作可能状態にならず、また、リモコン装置１１のＶＣＲモード切換キー２１８が押下されてもＶＣＲ４は動作可能状態にならないようなモードである。但し、この場合、複合型記録再生装置Ａの本体モードのリモコンコードが第２の種類のリモコンコードに設定されていないと、ハードディスク装置３だけを動作可能状態することができない。なお、このような設定は一例であるので、これに限ることはない。
【００３１】
また、リモコン装置１１に電池１１５が投入された後、一時停止キー２２８が押下されると、第３の種類のリモコンコードがリモコン装置１１の第３の設定リモコンモードのリモコンコードとして設定される。前記第３の設定リモコンモードとは、例えば、リモコン装置１１のＤＶＤモード切換キー２１７が押下されたときは光ディスク装置２が動作可能状態になるが、リモコン装置１１のＨＤＤモード切換キー２１６が押下されてもハードディスク装置３は動作可能状態にならず、また、リモコン装置１１のＶＣＲモード切換キー２１８が押下されてもＶＣＲ４は動作可能状態にならないようなモードである。但し、この場合、複合型記録再生装置Ａの本体モードのリモコンコードが第３の種類のリモコンコードに設定されていないと、光ディスク装置２だけを動作可能状態することができない。なお、このような設定は一例であるので、これに限ることはない。
【００３２】
なお、ここでは、特定キーとしては、再生キー２３１、停止キー２３０、一時停止キー２２８を用いたが、これに限らず、例えば、再生キー２３１の代わりに数字キー「１」、停止キー２３０の代わりに数字キー「２」、一時停止キー２２８の代わりに数字キー「３」を用いても良い。また、その他、ＴＶ電源キー２１１やレコーダ電源キー２１３以外であれば、何れのキーを特定キーとして用いても良い。
【００３３】
図３は本実施形態において用いられるリモコンコードを示すパルス信号の信号波形図である。図３（１）は、通常のリモコンコードを示すパルス信号であり、このパルス信号のヘッドパルスＨ１は所定の時間幅Ｔ１を有する。図３（２）は、第１の種類のリモコンコードを示すパルス信号であり、このパルス信号のヘッドパルスＨ１は所定の時間幅Ｔ１を有する。なお、図３（１）に示すパルス信号と図３（２）に示すパルス信号とは同じである。図３（３）は、第２の種類のリモコンコードを示すパルス信号であり、このパルス信号のヘッドパルスＨ２は所定の時間幅Ｔ２を有する。図３（４）は、第３の種類のリモコンコードを示すパルス信号であり、このパルス信号のヘッドパルスＨ３は所定の時間幅Ｔ３を有する。
【００３４】
このように、リモコン装置１１から送信されるリモコンコードのヘッドパルスの時間幅を変えることにより、複合型記録再生装置Ａのシステムコントローラ１０は、リモコン装置１１から送信されてきたリモコンコードのヘッドパルスの時間幅を検出することにより、どの種類のリモコンコードであるかを判別することが可能になる。
【００３５】
図４は本実施形態においてリモコンコードが一致した場合のコード設定画面の内容の一例を示す図である。図４において、コード設定画面ａには、「本体側のリモコンコードは第１の種類のリモコンコードに設定されています。」、「リモコン装置からのリモコンコードは第１の種類のリモコンコードです。」というメッセージが表示されている。この場合、両リモコンコードが一致するので、リモコン装置１１を操作して、カーソルをＯＫに合わせ、リモコン装置１１の決定キー２２５を押下すれば、リモコン装置１１には、第１の種類のリモコンコードが設定され、この後のキー操作では、第１の種類のリモコンコードによるリモコンコードが送信される。即ち、第１の種類のリモコンコード（図３（２）参照）のヘッドパルスの時間幅Ｔ１を有するリモコンコード（操作されたキーのキーコードに相当するリモコンコード）がリモコン装置１１から送信される。
【００３６】
図５は本実施形態においてリモコンコードが一致しなかった場合のコード設定画面の内容の一例を示す図である。図５において、コード設定画面ｂには、「本体側のリモコンコードは第２の種類のリモコンコードに設定されています。」、「リモコン装置からのリモコンコードは第１の種類のリモコンコードです。」というメッセージが表示されている。この場合、両リモコンコードは不一致なので、「リモコンコードが一致しませんので、操作をやり直して下さい。」と言うメッセージが表示される。これを見たユーザは、リモコン装置１１から電池１１５を取り出して、再び電池１１５をリモコン装置１１に投入して、以下の図６のフローチャートで説明する処理を実行させる。
【００３７】
図６は本実施形態においてリモコン装置に電池が投入されてからリモコンコードが設定されるまでの処理を説明するためのフローチャートである。このフローチャートおよび図１〜図５を参照してリモコン装置に電池が投入されてからリモコンコードが設定されるまでの処理を説明する。
【００３８】
複合型記録再生装置Ａに同じフォーマットで複数種類のリモコンコードが有る場合、リモコン装置１１のメモリ１１４には、リモコン装置１１から送信されるリモコンコードのヘッドパルスの時間幅が前記複数種類のリモコンコード毎に異なるようにリモコンコードが記憶されている。
【００３９】
リモコン装置１１に電池１１５が投入されると、リモコン装置１１における制御部１１２の電池投入検知手段は、電池１１５の出力ラインの電圧を検出することにより、電池１１５が投入されたことを検知し（ステップＳ１）、リモコン装置１１をキーの操作待ち状態である待機状態にする（ステップＳ２）。
【００４０】
ここで、リモコン装置１１の再生キー２３１が押下されると、リモコン装置１１における制御部１１２の特定キー押下判定手段は、再生キー２３１が押下されたことを検出し（ステップＳ３）、次に、制御部１１２のリモコンコード送信手段は、第１の種類のリモコンコード（図３（２）参照）を送信する（ステップＳ６）。
【００４１】
そして、後述する図７に示すフローチャートで説明するが、リモコン装置１１からの第１の種類のリモコンコードと、複合型記録再生装置Ａで設定されているリモコンコードとが合えば、即ち、複合型記録再生装置Ａで設定されているリモコンコードも第１の種類のリモコンコードであれば、ユーザによりリモコン装置１１の決定キー２２５が押下される。
【００４２】
したがって、リモコン装置１１における制御部１１２のリモコンコード設定手段は、決定キー２２５の押下を検出し（ステップＳ９）、押下された再生キー２３１に対応するリモコンコードを設定リモコンモードのリモコンコード（第１の種類のリモコンコード）として設定する（ステップＳ１０）。このように、リモコン装置１１に第１の種類のリモコンコードが設定された後、リモコン装置１１の何らかのキーが操作されると、第１の種類のリモコンコードによるリモコンコードが送信される。即ち、第１の種類のリモコンコード（図３（２）参照）のヘッドパルスの時間幅Ｔ１を有するリモコンコード（操作されたキーのキーコードに相当するリモコンコード）がリモコン装置１１から送信される。
【００４３】
一方、待機状態（ステップＳ２）の後、リモコン装置１１の停止キー２３０が押下されると、リモコン装置１１における制御部１１２の特定キー押下判定手段は、停止キー２３０が押下されたことを検出し（ステップＳ４）、次に、制御部１１２のリモコンコード送信手段は、第２の種類のリモコンコード（図３（３）参照）を送信する（ステップＳ７）。
【００４４】
そして、後述する図７に示すフローチャートで説明するが、リモコン装置１１からの第２の種類のリモコンコードと、複合型記録再生装置Ａで設定されているリモコンコードとが合えば、即ち、複合型記録再生装置Ａで設定されているリモコンコードも第２の種類のリモコンコードであれば、ユーザによりリモコン装置１１の決定キー２２５が押下される。
【００４５】
したがって、リモコン装置１１における制御部１１２のリモコンコード設定手段は、決定キー２２５の押下を検出し（ステップＳ９）、押下された停止キー２３０に対応するリモコンコードを設定リモコンモードのリモコンコード（第２の種類のリモコンモード）として設定する（ステップＳ１０）。このように、リモコン装置１１に第２の種類のリモコンコードが設定された後、リモコン装置１１の何らかのキーが操作されると、第２の種類のリモコンコードによるリモコンコードが送信される。即ち、第２の種類のリモコンコード（図３（３）参照）のヘッドパルスの時間幅Ｔ２を有するリモコンコード（操作されたキーのキーコードに相当するリモコンコード）がリモコン装置１１から送信される。
【００４６】
また一方、待機状態（ステップＳ２）の後、リモコン装置１１の一時停止キー２２８が押下されると、リモコン装置１１における制御部１１２の特定キー押下判定手段は、一時停止キー２２８が押下されたことを検出し（ステップＳ５）、次に、制御部１１２のリモコンコード送信手段は、第３の種類のリモコンコード（図３（４）参照）を送信する（ステップＳ８）。
【００４７】
そして、後述する図７に示すフローチャートで説明するが、リモコン装置１１からの第３の種類のリモコンコードと、複合型記録再生装置Ａで設定されているリモコンコードとが合えば、即ち、複合型記録再生装置Ａで設定されているリモコンコードも第３の種類のリモコンコードであれば、ユーザによりリモコン装置１１の決定キー２２５が押下される。
【００４８】
したがって、リモコン装置１１における制御部１１２のリモコンコード設定手段は、決定キー２２５の押下を検出し（ステップＳ９）、押下された停止キー２３０に対応するリモコンコードを設定リモコンモードのリモコンコード（第３の種類のリモコンコード）として設定する（ステップＳ１０）。このように、リモコン装置１１に第３の種類のリモコンコードが設定された後、リモコン装置１１の何らかのキーが操作されると、第３の種類のリモコンコードによるリモコンコードが送信される。即ち、第３の種類のリモコンコード（図３（４）参照）のヘッドパルスの時間幅Ｔ３を有するリモコンコード（操作されたキーのキーコードに相当するリモコンコード）がリモコン装置１１から送信される。
【００４９】
図７は本実施形態において複合型記録再生装置の電源がオンされてからリモコンコードの設定に関する処理を説明するためのフローチャートである。このフローチャートおよび図１〜図６を参照して複合型記録再生装置の電源がオンされてからリモコンコードの設定に関する処理について説明する。
【００５０】
リモコン装置１１に対するリモコンコードの設定を実施する前に、先ず、複合型記録再生装置Ａの電源が本体電源スイッチの操作によりオンされる（ステップＮ１）。また、テレビジョン受像機１３の電源もオンさせておき、ディスプレイ装置１３１を表示可能状態にしておく。一方、リモコン装置１１では、電池１１５を投入して待機状態にしておく。
【００５１】
ここで、コード設定画面をテレビジョン受像機１３のディスプレイ装置１３１に表示させるため、リモコン装置１１の設定画面キー２２０が押下されると、リモコン装置１１からは赤外線のコード設定画面表示指示信号が送信される。複合型記録再生装置Ａのシステムコントローラ１０のコード設定画面表示手段は、そのコード設定画面表示指示信号を、リモコン受信部９を介して入力することにより、コード設定画面表示指示がされたことを検出し（ステップＮ２）、コード設定画面データをフラッシュＲＯＭ６から読み出し、ＯＳＤ部１２および映像出力部７の処理を経て、テレビジョン受像機１３のディスプレイ装置１３１に供給されることにより、ディスプレイ装置１３１にはコード設定画面が表示される（ステップＮ３）。
【００５２】
この時点のコード設定画面は、リモコン装置１１からのリモコンコードを受信していないので、例えば、図４に示すコード設定画面ａの「リモコン装置からのリモコンコードは第１の種類のリモコンコードです。」と言うメッセージは表示されておらず、「本体側のリモコンコードは第１の種類のリモコンコードに設定されています。」と言うメッセージのみが表示されている。
【００５３】
この後、システムコントローラ１０のコード設定画面表示手段は、リモコン装置１１からのリモコンコードを受信すると（ステップＮ５）、この受信したリモコンコードの種類を、例えば、図４に示すように、「リモコン装置からのリモコンコードは第１の種類のリモコンコードです。」と言うメッセージがコード設定画面ａに表示される。そして、システムコントローラ１０のコード一致判定手段は、前記受信したリモコンコードと、複合型記録再生装置ＡのフラッシュＲＯＭ６に記憶されているリモコンコードのうち現在の本体モードに適合して設定されたリモコンコードとが一致するか否かを判定する（ステップＮ５）。
【００５４】
ここで、両リモコンコードが一致しないと判定されたとき、システムコントローラ１０のメッセージ表示手段は、リモコン装置１１からのリモコンコードが異なるというメッセージ、例えば、図５のコード設定画面ｂに示すような、「リモコンコードが一致しませんので、操作をやり直して下さい。」というメッセージを表示させる（ステップＮ８）。
【００５５】
一方、両リモコンコードが一致したと判定されたとき（ステップＮ５）、ユーザは、図４に示すようなコード設定画面ａを見て、リモコン装置１１を操作してカーソルをＯＫに位置させ、決定キー２２５を押下すると、システムコントローラ１０の動作可能状態設定手段は、リモコン装置１１の決定キー２２５の押下による決定指示を検知し（ステップＮ６）、コード設定画面ａの表示を消去して、前記一致したリモコンコードに対応する光ディスク装置２またはハードディスク装置３またはＶＣＲ４を動作可能状態に設定する（ステップＮ７）。
【００５６】
以上説明したように本実施形態によれば、リモコン装置１１側で設定されるリモコンモードに対応するリモコンコードが、複合記録再生装置Ａ側で予め設定されている本体モードに対応するリモコンコードに切り換える場合の切換操作が簡単になり、ユーザにとっては操作性が簡単になる。また、コード切換スイッチをリモコン装置に設けるようなことがないので、リモコン装置１１のコストダウンを図れる。また、複合型記録再生装置Ａ側の現在の本体モードにおけるリモコンコードの種類がユーザに分かるので、リモコンモードにおけるリモコンコードを本体モードにおけるリモコンコードに合わすためのリモコンコードの設定が早くできる。
【産業上の利用可能性】
【００５７】
本発明は、同じフォーマットで複数種類のリモコンコードを有する複合型記録再生装置と、この複合型記録再生装置に対して遠隔操作を行うリモコン装置とを含み構成された遠隔操作システムに利用可能であり、リモコンコードの切り換えを簡単にする。
【図面の簡単な説明】
【００５８】
【図１】本発明の一実施形態に係る複合型記録再生装置の構成を示すブロック図である。
【図２】前記実施形態においてリモコン装置のキー配置の一例を示す図である。
【図３】前記実施形態において用いられるリモコンコードを示すパルス信号の信号波形図である。
【図４】前記実施形態においてリモコンコードが一致した場合のコード設定画面の内容の一例を示す図である。
【図５】前記実施形態においてリモコンコードが一致しなかった場合のコード設定画面の内容の一例を示す図である。
【図６】前記実施形態においてリモコン装置に電池が投入されてからリモコンコードが設定されるまでの処理を説明するためのフローチャートである。
【図７】前記実施形態において複合型記録再生装置の電源がオンされてからリモコンコードの設定に関する処理を説明するためのフローチャートである。
【符号の説明】
【００５９】
Ａ    複合型記録再生装置
ａ，ｂ    コード設定画面
２    光ディスク装置
３    ハードディスク装置
４    ＶＣＲ（磁気記録再生装置）
１０    システムコントローラ（コード設定画面表示手段、コード一致判定手段、メッセージ表示手段、動作可能状態設定手段）
１１    リモコン装置
１１２    制御部（電池投入検知手段、特定キー押下判定手段、リモコンコード送信手段、リモコンコード設定手段）
１１４    メモリ
１３１    ディスプレイ装置（表示手段）
【図１】
2009077089.tif 000003
【図２】
2009077089.tif 000004
【図３】
2009077089.tif 000005
【図４】
2009077089.tif 000006
【図５】
2009077089.tif 000007
【図６】
2009077089.tif 000008
【図７】
2009077089.tif 000009